(57)【要約】【課題】本発明の課題は、網材端部を固定する構造とサッシ枠と網戸との隙間を防ぐ構造をコンパクトにまとめることができ且つ、網戸框の見付寸法が小さい場合でも、その構造を適用できるようにしたサッシを提供することである。【解決手段】サッシ枠３と、サッシ枠３に着脱自在に設けた網戸５とを備え、網戸５は、上下左右框の室外側面に連続して設けた取付溝９に網材の受け部材７を取り付けてあり、受け部材は網材端部の固定溝１３と固定溝１３よりも外周側に位置する軟質材製の隙間防止部１９とを長手方向に有し、網材１１端部は固定溝１３に嵌合した網押さえロープ２０で固定溝１３に固定してあり、隙間防止部１９はサッシ枠３に当接して網戸５とサッシ枠３との隙間を塞ぐように設けた。【選択図】　図１
2004036092.tif 000002
【特許請求の範囲】
【請求項１】
サッシ枠と、サッシ枠に着脱自在に設けた網戸とを備え、網戸は、上下左右框の室外側面に連続して設けた取付溝に網材の受け部材を取付けてあり、受け部材は網材端部の固定溝と固定溝の外側に位置してサッシ枠に当接する軟質材製の隙間防止部とを長手方向に有し、網材端部は固定溝に嵌合した網押さえロープで固定溝に固定してあり、隙間防止部が網戸とサッシ枠との隙間を塞いでいることを特徴とするサッシ。
【発明の詳細な説明】
【０００１】
【発明の属する技術分野】
本発明は、サッシ枠に網戸を取付けたサッシに関する。
【０００２】
【従来の技術】
実公平６―２６７１８号公報には、網戸框に固定溝を設け、網押さえロープで網材端部を固定溝に固定することが開示されている（第１の従来技術）。
実開平５―９４４９５号公報には、網押さえロープで網材端部を固定溝に固定すると共に、網戸框に固定溝とは別に隙間防止部材用の溝を設け、この溝に隙間防止部材を固定し、隙間防止部材がサッシ枠に当接することでサッシ枠と網戸との間の隙間を塞ぐことが開示されている（第２の従来技術）。
【０００３】
【発明が解決しようとする課題】
しかし、上述した第１の従来技術では、隙間防止部材がないので、サッシ枠と網戸との間に隙間が生じ、この隙間から害虫が侵入するおそれがあった。これに対して、第２の従来技術では、網戸框に固定溝とは別に固定溝の外周側に隙間防止部材用の溝を設けているため、網戸框の見付寸法が大きくなるという問題があった。
本発明の課題は、網材端部を固定する構造とサッシ枠と網戸との隙間を防ぐ構造をコンパクトにまとめることができ且つ、網戸框の見付寸法が小さい場合でも、その構造を適用できるようにしたサッシを提供することを目的とする。
【０００４】
【課題を解決するための手段】
請求項１に記載の発明は、サッシ枠と、サッシ枠に着脱自在に設けた網戸とを備え、網戸は、上下左右框の室外側面に連続して設けた取付溝に網材の受け部材を取付けてあり、受け部材は網材端部の固定溝と固定溝の外側に位置してサッシ枠に当接する軟質材製の隙間防止部とを長手方向に有し、網材端部は固定溝に嵌合した網押さえロープで固定溝に固定してあり、隙間防止部が網戸とサッシ枠との隙間を塞いでいることを特徴とする。
【０００５】
この請求項１に記載の発明では、網戸の組み立ては、網戸の上下左右框の室外側面に設けられた取付溝に受け部材を取り付け、受け部材の固定溝に網材端部を置き、固定溝に網押さえロープを嵌合して網材端部を溝内に押し込んで固定する。
受け部材には軟質材の隙間防止部材が設けられており、この隙間防止部材がサッシ枠に当接して網戸とサッシ枠との間の隙間を塞いでいるので、害虫が室外側から網戸とサッシ枠との隙間を通って室内側に進入することを防止できる。
また、受け部材には網戸とサッシ枠との隙間を塞ぐ隙間防止部材と網戸の端部を取付ける固定溝とが一体となって設けられているので、部品点数が少なくて済み且つ網戸框には１つの取付溝を設ければ足りるので、網戸框の構造のコンパクト化を図ることができる。
網戸框に隙間防止部材を取付ける溝のスペースを別途設ける必要がないので、網戸框の見付寸法が小さくても適用可能である。
【０００６】
【発明の実施の形態】
以下に本発明の実施例を図面に基づいて具体的に説明する。
図１は本発明の実施の形態に係るサッシの横断面図、図２は図１に示すサッシの縦断面図、図３は図１の網戸を室外側から見た正面図である。尚、図１及び図２において抜き出して示すのは、夫々、拡大図である。
本実施の形態にかかるサッシ１は、室内側に木質系部材を配置した複合サッシである。サッシ枠３は、上下枠３ａ、３ｂと、左右竪枠３ｃ、３ｄとで枠組み形成され、各枠３ａ、３ｂ、３ｃ、３ｄは室外側がアルミニウム型材４ａ、４ｂ、４ｃ、４ｄであり、室内側は木質系部材６ａ、６ｂ、６ｃ、６ｄで構成されている。尚、木質系部材は天然木や樹脂材である。
このサッシ枠３には、室内側に設けたハンドル８の操作によって開閉する外開き障子６が設けられている。
サッシ枠３には室内側に網戸５が着脱自在に設けられており、網戸５は上框５ａ、下框５ｂおよび左右の縦框５ｃ、５ｄによって四方組みされた框に網材１１が張られている。
上框５ａ、下框５ｂおよび左右の縦框５ｃ、５ｄの室外側面には、取付溝９が、上下左右框の夫々の長手方向に連続して設けられており、この取付溝９には網材５の端部を固定するための固定溝１３を備えた受け部材７が固定されている。受け部材７は、樹脂製であり、縦断面視略コ字状の固定溝１３と、固定溝１３よりも外周側に隙間防止部材１９が形成されており、受け部材７は取付溝９内に接着材で固定される。
固定溝１３には、その開口に係止部１７が溝を狭めるように突設されており、係止部１７は網材１１とともに網押さえロープ２０を固定溝１３に圧入するときに、弾性変形する。網材１１の端部と網押さえロープ２０とが固定溝１３内に入った後には、係止部１７が開口を狭めて網押さえロープ２０を固定溝１３内に保持している。
隙間防止部材１９は軟質樹脂製であり、受け部材７の硬質樹脂部分と一体成形されている。また、隙間防止部材１９は先端ほど厚みが薄くなっており、たわみ易くなっている。
網戸５の左右框５ｃ、５ｄに設けられた隙間防止部材１９はサッシ枠３の左右枠３ｃ、３ｄの内周面に当接して網戸５とサッシ枠３との隙間を塞いでいる。
下框５ｂの左右の両端側には、サッシ枠３に係止する係止部材２１がねじ固定されており、係止部材２１はサッシ枠３の下枠３ｂにある係合部２５の外側で係合する係合片２３が下に向けて突設している。
一方、上框５ａの略中央には、網戸５をサッシ枠３に取付ける係止部材３１がねじ固定されており、係止部材３１には回転自在な係合片２７を設けており、網戸５をサッシ枠３に嵌めて、係合片２７を回してサッシ枠３の係合部３３の室外側でサッシ枠３に脱着自在に固定するようになっている。
網戸５の下框５ｂでは係止部材３１が係合部３３に係合され、上框５ａでは係止部材２１が係合部２５に係合して、網戸５がサッシ枠３の上下枠５ａ，５ｂを引き寄せているので、網戸５の上下框５ａ、５ｂとサッシ枠３の上下枠３ａ、３ｂとの間に隙間が作られないようになっている。
次に、上記した構成に基づき、本実施の形態の作用を説明する。網戸５の組み立ては、網戸５の上下左右框５ａ、５ｂ、５ｃ、５ｄの室外側面に設けられた取付溝９に受け部材７を取り付け、受け部材７の固定溝１３に網材１１の端部を置き、上から網材１１とともに網押さえロープ２０を固定溝１３内に圧入し、固定溝１３内に入った網材１１の端部と網押さえロープ２０とを係止部１７で係止することにより、固定溝１３内に網材１１を固定する。
網戸５の取り付けは、網戸５の下框５ｂの係合片２３をサッシ枠３の下枠３ｂの係合部２５に係合し、係合片２７を回して係合部３３に係合して網戸５をサッシ枠３に固定する。
サッシ１に網戸５を固定した状態では、隙間防止部材１９が網戸５とサッシ枠３との間の隙間を塞いでいるので、害虫が室外側から隙間を通って室内側に進入することを防止できる。
また、隙間防止部材１９と網戸５の端部を取付ける固定溝１３とが一体となって設けられているので、網戸框の構造のコンパクト化を図ることができる。
網戸５の上下左右框５ａ、５ｂ、５ｃ、５ｄの夫々の見付面に隙間防止部材１９を設けるための溝を見付方向の周方向外側に別途設ける必要がなく、網戸框の見付寸法を小さくできる。換言すれば、網戸框の見付寸法を小さい場合でも、サッシ枠３と網戸５との間の隙間を塞いで防虫効果を図れる。
【０００７】
本発明は、上述のようなの実施の形態に限定されず、その要旨を逸脱しない範囲内において種々の変形が可能である。例えば、隙間防止部材１９を二股に分かれたものを用いたり、受け部材７に複数の隙間防止部材１９を設けて、隙間防止部材１９を多重にして隙間を塞ぐようにしても良い。
隙間防止部材１９の形状は先端の厚みが薄いひれ状に限らず、例えば根元から先端までの厚みが同じ形状のものを用いたり、横断面半円形状であっても良い。網戸５の脱着及び取り付けは、網戸框又はサッシ枠３の一方にマグネット、他方にマグネット又は磁性体を設け、磁力によりサッシ枠３に固定するようにしても良い。
サッシ１は、複合サッシに限らずアルミニウム型材のみからなるものでも良い。
網戸框に取り付けた隙間防止部材１９は、網戸５とサッシ枠３との間の全周に隙間ができる場合には、上下左右框３ａ，３ｂ、３ｃ、３ｄの隙間防止部材１９がサッシ枠３の全周で当接したり、網戸５の上下框５ａ，５ｂとサッシ枠３の上下枠３ａ，３ｂとの間に隙間ができる場合には、上下框５ａ，５ｂの隙間防止部材１９がサッシ枠３の上下枠３ａ，３ｂに当接するものでも良い。
【０００８】
【発明の効果】
請求項１に記載の発明では、受け部材には軟質材の隙間防止部材が設けられており、この隙間防止部材がサッシ枠に当接して網戸とサッシ枠との間の隙間を塞いでいるので、害虫が室外側から隙間を通って室内側に進入することを防止できる。
また、受け部材には網戸とサッシ枠との隙間を塞ぐ隙間防止部材と網戸の端部を取付ける固定溝とが一体となって設けられているので、部品点数が少なくて済み且つ網戸框には１つの取付溝を設ければ足りるので、網戸框の構造のコンパクト化を図ることができる。
網戸框に隙間防止部材を取付ける溝のスペースを受け部材の取付溝の外周に別途設ける必要がないので、網戸框の見付寸法が小さくても適用可能である。
【図面の簡単な説明】
【図１】本発明の実施の形態に係るサッシの横断面図である。
【図２】図１に示すサッシの縦断面図である。
【図３】図１の網戸を室外側から見た正面図である。
【符号の説明】
１　　　　　サッシ
３　　　　　サッシ枠
５　　　　　網戸
５ａ　　　　上框
５ｂ　　　　下框
５ｃ　　　　左框
５ｄ　　　　右框
７　　　　　受け部材
９　　　　　取付溝
１１　　　　網材
１３　　　　固定溝
１９　　　　隙間防止部材
２０　　　　網押さえロープ
【図１】
2004036092.tif 000003
【図２】
2004036092.tif 000004
【図３】
2004036092.tif 000005
【手続補正書】
【提出日】平成14年8月19日(2002.8.19)
【手続補正１】
【補正対象書類名】明細書
【補正対象項目名】全文
【補正方法】変更
【補正の内容】
【発明の詳細な説明】
【特許請求の範囲】
【請求項１】サッシ枠と、サッシ枠に着脱自在に設けた網戸とを備え、網戸は、上下左右框の室外側面に連続して設けた取付溝に網材の受け部材を取付けてあり、受け部材は網材端部の固定溝と固定溝の外側に位置してサッシ枠に当接する軟質材製の隙間防止部とを長手方向に有し、網材端部は固定溝に嵌合した網押さえロープで固定溝に固定してあり、隙間防止部がサッシ枠の少なくとも上下枠又は左右枠と、網戸との間の隙間を塞いでいることを特徴とするサッシ。
【発明の詳細な説明】
【０００１】
【発明の属する技術分野】
本発明は、サッシ枠に網戸を取付けたサッシに関する。
【０００２】
【従来の技術】
実公平６―２６７１８号公報には、網戸框に固定溝を設け、網押さえロープで網材端部を固定溝に固定することが開示されている（第１の従来技術）。
実開平５―９４４９５号公報には、網押さえロープで網材端部を固定溝に固定すると共に、網戸框に固定溝とは別に隙間防止部材用の溝を設け、この溝に隙間防止部材を固定し、隙間防止部材がサッシ枠に当接することでサッシ枠と網戸との間の隙間を塞ぐことが開示されている（第２の従来技術）。
【０００３】
【発明が解決しようとする課題】
しかし、上述した第１の従来技術では、隙間防止部材がないので、サッシ枠と網戸との間に隙間が生じ、この隙間から害虫が侵入するおそれがあった。これに対して、第２の従来技術では、網戸框に固定溝とは別に固定溝の外周側に隙間防止部用材の溝を設けているため、網戸框の見付寸法が大きくなるという問題があった。
本発明の課題は、網材端部を固定する構造とサッシ枠と網戸との隙間を防ぐ構造をコンパクトにまとめることができ且つ、網戸框の見付寸法が小さい場合でも、その構造を適用できるようにしたサッシを提供することを目的とする。
【０００４】
【課題を解決するための手段】
請求項１に記載の発明は、サッシ枠と、サッシ枠に着脱自在に設けた網戸とを備え、網戸は、上下左右框の室外側面に連続して設けた取付溝に網材の受け部材を取付けてあり、受け部材は網材端部の固定溝と固定溝の外側に位置してサッシ枠に当接する軟質材製の隙間防止部とを長手方向に有し、網材端部は固定溝に嵌合した網押さえロープで固定溝に固定してあり、隙間防止部が網戸とサッシ枠との隙間を塞いでいることを特徴とする。
【０００５】
この請求項１に記載の発明では、網戸の組み立ては、網戸の上下左右框の室外側面に設けられた取付溝に受け部材を取り付け、受け部材の固定溝に網材端部を置き、固定溝に網押さえロープを嵌合して網材端部を溝内に押し込んで固定する。
受け部材には軟質材の隙間防止部が設けられており、この隙間防止部がサッシ枠の少なくとも上下枠又は左右枠と、網戸との間の隙間を塞いでいるので、害虫が室外側から網戸とサッシ枠との隙間を通って室内側に進入することを防止できる。
また、受け部材には網戸とサッシ枠との隙間を塞ぐ隙間防止部と網戸の端部を取付ける固定溝とが一体となって設けられているので、部品点数が少なくて済み且つ網戸框には１つの取付溝を設ければ足りるので、網戸框の構造のコンパクト化を図ることができる。
網戸框に隙間防止部を取付ける溝のスペースを別途設ける必要がないので、網戸框の見付寸法が小さくても適用可能である。
【０００６】
【発明の実施の形態】
以下に本発明の実施例を図面に基づいて具体的に説明する。
図１は本発明の実施の形態に係るサッシの横断面図、図２は図１に示すサッシの縦断面図、図３は図１の網戸を室外側から見た正面図である。尚、図１及び図２において抜き出して示すのは、夫々、拡大図である。
本実施の形態にかかるサッシ１は、室内側に木質系部材を配置した複合サッシである。サッシ枠３は、上下枠３ａ、３ｂと、左右竪枠３ｃ、３ｄとで枠組み形成され、各枠３ａ、３ｂ、３ｃ、３ｄは室外側がアルミニウム型材４ａ、４ｂ、４ｃ、４ｄであり、室内側は木質系部材６ａ、６ｂ、６ｃ、６ｄで構成されている。尚、木質系部材は天然木や樹脂材である。
このサッシ枠３には、室内側に設けたハンドル８の操作によって開閉する外開き障子６が設けられている。
サッシ枠３には室内側に網戸５が着脱自在に設けられており、網戸５は上框５ａ、下框５ｂおよび左右の縦框５ｃ、５ｄによって四方組みされた框に網材１１が張られている。
上框５ａ、下框５ｂおよび左右の縦框５ｃ、５ｄの室外側面には、取付溝９が、上下左右框の夫々の長手方向に連続して設けられており、この取付溝９には網材５の端部を固定するための固定溝１３を備えた受け部材７が固定されている。受け部材７は、樹脂製であり、縦断面視略コ字状の固定溝１３と、固定溝１３よりも外周側に隙間防止部１９が形成されており、受け部材７は取付溝９内に接着材で固定される。
固定溝１３には、その開口に係止部１７が溝を狭めるように突設されており、係止部１７は網材１１とともに網押さえロープ２０を固定溝１３に圧入するときに、弾性変形する。網材１１の端部と網押さえロープ２０とが固定溝１３内に入った後には、係止部１７が開口を狭めて網押さえロープ２０を固定溝１３内に保持している。
隙間防止部１９は軟質樹脂製であり、受け部材７の硬質樹脂部分と一体成形されている。また、隙間防止部１９は先端ほど厚みが薄くなっており、たわみ易くなっている。
網戸５の左右框５ｃ、５ｄに設けられた隙間防止部１９はサッシ枠３の左右枠３ｃ、３ｄの内周面に当接して網戸５とサッシ枠３との隙間を塞いでいる。
下框５ｂの左右の両端側には、サッシ枠３に係止する係止部材２１がねじ固定されており、係止部材２１はサッシ枠３の下枠３ｂにある係合部２５の外側で係合する係合片２３が下に向けて突設している。
一方、上框５ａの略中央には、網戸５をサッシ枠３に取付ける係止部材３１がねじ固定されており、係止部材３１には回転自在な係合片２７を設けており、網戸５をサッシ枠３に嵌めて、係合片２７を回してサッシ枠３の係合部３３の室外側でサッシ枠３に脱着自在に固定するようになっている。
網戸５の下框５ｂでは係止部材３１が係合部３３に係合され、上框５ａでは係止部材２１が係合部２５に係合して、網戸５がサッシ枠３の上下枠５ａ，５ｂを引き寄せているので、網戸５の上下框５ａ、５ｂとサッシ枠３の上下枠３ａ、３ｂとの間に隙間が作られないようになっている。
次に、上記した構成に基づき、本実施の形態の作用を説明する。網戸５の組み立ては、網戸５の上下左右框５ａ、５ｂ、５ｃ、５ｄの室外側面に設けられた取付溝９に受け部材７を取り付け、受け部材７の固定溝１３に網材１１の端部を置き、上から網材１１とともに網押さえロープ２０を固定溝１３内に圧入し、固定溝１３内に入った網材１１の端部と網押さえロープ２０とを係止部１７で係止することにより、固定溝１３内に網材１１を固定する。
網戸５の取り付けは、網戸５の下框５ｂの係合片２３をサッシ枠３の下枠３ｂの係合部２５に係合し、係合片２７を回して係合部３３に係合して網戸５をサッシ枠３に固定する。
サッシ１に網戸５を固定した状態では、隙間防止部１９が網戸５とサッシ枠３との間の隙間を塞いでいるので、害虫が室外側から隙間を通って室内側に進入することを防止できる。
また、隙間防止部１９と網戸５の端部を取付ける固定溝１３とが一体となって設けられているので、網戸框の構造のコンパクト化を図ることができる。
網戸５の上下左右框５ａ、５ｂ、５ｃ、５ｄの夫々の見付面に隙間防止部１９を設けるための溝を見付方向の周方向外側に別途設ける必要がなく、網戸框の見付寸法を小さくできる。換言すれば、網戸框の見付寸法を小さい場合でも、サッシ枠３と網戸５との間の隙間を塞いで防虫効果を図れる。
【０００７】
本発明は、上述のようなの実施の形態に限定されず、その要旨を逸脱しない範囲内において種々の変形が可能である。例えば、隙間防止部１９を二股に分かれたものを用いたり、受け部材７に複数の隙間防止部１９を設けて、隙間防止部１９を多重にして隙間を塞ぐようにしても良い。
隙間防止部１９の形状は先端の厚みが薄いひれ状に限らず、例えば根元から先端までの厚みが同じ形状のものを用いたり、横断面半円形状であっても良い。
網戸５の脱着及び取り付けは、網戸框又はサッシ枠３の一方にマグネット、他方にマグネット又は磁性体を設け、磁力によりサッシ枠３に固定するようにしても良い。
サッシ１は、複合サッシに限らずアルミニウム型材のみからなるものでも良い。
網戸框に取り付けた隙間防止部１９は、網戸５とサッシ枠３との間の全周に隙間ができる場合には、上下左右框３ａ，３ｂ、３ｃ、３ｄの隙間防止部１９がサッシ枠３の全周で当接したり、網戸５の上下框５ａ，５ｂとサッシ枠３の上下枠３ａ，３ｂとの間に隙間ができる場合には、上下框５ａ，５ｂの隙間防止部１９がサッシ枠３の上下枠３ａ，３ｂに当接するものでも良い。
【０００８】
【発明の効果】
請求項１に記載の発明では、受け部材には軟質材の隙間防止部が設けられており、この隙間防止部がサッシ枠の少なくとも上下枠又は左右枠に当接して、網戸との間の隙間を塞いでいるので、害虫が室外側から隙間を通って室内側に進入することを防止できる。
また、受け部材には網戸とサッシ枠との隙間を塞ぐ隙間防止部と網戸の端部を取付ける固定溝とが一体となって設けられているので、部品点数が少なくて済み且つ網戸框には１つの取付溝を設ければ足りるので、網戸框の構造のコンパクト化を図ることができる。
網戸框に隙間防止部を取付ける溝のスペースを受け部材の取付溝の外周に別途設ける必要がないので、網戸框の見付寸法が小さくても適用可能である。
【図面の簡単な説明】
【図１】本発明の実施の形態に係るサッシの横断面図である。
【図２】図１に示すサッシの縦断面図である。
【図３】図１の網戸を室外側から見た正面図である。
【符号の説明】
１　　　　　サッシ
３　　　　　サッシ枠
５　　　　　網戸
５ａ　　　　上框
５ｂ　　　　下框
５ｃ　　　　左框
５ｄ　　　　右框
７　　　　　受け部材
９　　　　　取付溝
１１　　　　網材
１３　　　　固定溝
１９　　　　隙間防止部
２０　　　　網押さえロープ
【手続補正２】
【補正対象書類名】図面
【補正対象項目名】図１
【補正方法】変更
【補正の内容】
【図１】
2004036092.tif 000006